(57)【特許請求の範囲】
【請求項１】
第１のエラー訂正符号によってエラー訂正符号化された少なくとも一つのデータと、
上記第１のエラー訂正符号によって復号可能で、且つ上記第１のエラー訂正符号とは異なる第２のエラー訂正符号によっても復号可能な形態のデータと
が少なくとも記録される記録媒体。
【請求項２】
上記第１のエラー訂正符号と上記第２のエラー訂正符号は、少なくとも２方向の符号化系列に符号化を行うものであって、且つ上記符号化系列のみ異なる符号であり、
上記復号可能な形態のデータは、上記２方向の符号化系列のうちの一方向の符号化系列を単位として所定のデータが繰り返されるデータである請求項１に記載の記録媒体。
【請求項３】
上記第１のエラー訂正符号と上記第２のエラー訂正符号は、垂直方向のＣ１系列と斜め方向のＣ２系列に符号化を行う符号であって、且つインターリーブ長が異なる符号であり、
上記復号可能な形態のデータは、上記Ｃ１系列を単位として所定のデータが繰り返されるものである請求項１に記載の記録媒体。
【請求項４】
上記復号可能な形態のデータは、上記第１のエラー訂正符号によって符号化されたデータと混在するように記録される請求項３に記載の記録媒体。
【請求項５】
上記復号可能な形態のデータは、上記Ｃ１系列エラーが含まれている請求項４に記載の記録媒体。
【請求項６】
上記第１のエラー訂正符号によってエラー訂正符号化されたデータと上記復号可能な形態のデータとが混在するように記録された部分は、上位ビットが全て同じ値となるように記録されている請求項４に記載の記録媒体。
【請求項７】
上記第１のエラー訂正符号によってエラー訂正符号化されたデータと上記復号可能な形態のデータとが混在するように記録された部分は、再生時に可聴帯域の音となるようなデータが記録されている請求項４に記載の記録媒体。
【請求項８】
上記第１のエラー訂正符号にとってエラー訂正符号化されたデータと上記復号可能な形態のデータとが混在するように記録された部分は、０（ゼロ）のデータと１のデータとが所定の周期で繰り返して記録されている請求項７に記載の記録媒体。
【請求項９】
上記記録媒体には、さらに上記復号可能な形態のデータの記録位置を示すデータが記録される請求項１に記載の記録媒体。
【請求項１０】
上記第１のエラー訂正符号によってエラー訂正符号化されたデータは暗号化されて記録され、上記復号可能な形態のデータには、上記第１のエラー訂正符号によってエラー訂正符号化され暗号化されたデータを復号するのに用いられるデータが含まれている請求項９に記載の記録媒体。
【請求項１１】
第１のエラー訂正符号によりエラー訂正符号化されたデータと、
第２のエラー訂正符号によりエラー訂正符号化されたデータと、
上記第１のエラー訂正符号によって復号可能で、且つ上記第２のエラー訂正符号によっても復号可能な形態のデータと
が少なくとも記録される記録媒体。
【請求項１２】
上記第１のエラー訂正符号と上記第２のエラー訂正符号は、少なくとも２方向の符号化系列に符号化を行うものであって、且つ上記符号化系列のみ異なる符号であり、
上記復号可能な形態のデータは、上記２方向の符号化系列のうちの一方向の符号化系列を単位として所定のデータが繰り返されるデータである請求項１１に記載の記録媒体。
【請求項１３】
上記第１のエラー訂正符号と上記第２のエラー訂正符号は、垂直方向のＣ１系列と斜め方向のＣ２系列に符号化を行う符号であって、且つインターリーブ長が異なる符号であり、
上記復号可能な形態のデータは、上記Ｃ１系列を単位として所定のデータが繰り返されるものである請求項１１に記載の記録媒体。
【請求項１４】
上記復号可能な形態のデータは、上記第１のエラー訂正符号によって符号化されたデータと混在するように記録される請求項１３に記載の記録媒体。
【請求項１５】
上記復号可能な形態のデータは、上記Ｃ１系列エラーが含まれている請求項１４に記載の記録媒体。
【請求項１６】
上記第１のエラー訂正符号によってエラー訂正符号化されたデータと上記復号可能な形態のデータとが混在するように記録された部分は、上位ビットが全て同じ値となるように記録されている請求項１４に記載の記録媒体。
【請求項１７】
上記第１のエラー訂正符号によってエラー訂正符号化されたデータと上記復号可能な形態のデータとが混在するように記録された部分は、再生時に可聴帯域の音となるようなデータが記録されている請求項１４に記載の記録媒体。
【請求項１８】
上記第１のエラー訂正符号によってエラー訂正符号化されたデータと上記復号可能な形態のデータとが混在するように記録された部分は、０のデータと１のデータとが所定の周期で繰り返して記録されている請求項１７に記載の記録媒体。
【請求項１９】
上記記録媒体には、さらに上記復号可能な形態のデータの記録位置を示すデータが記録される請求項１１に記載の記録媒体。
【請求項２０】
上記第１のエラー訂正符号によってエラー訂正符号化されたデータは暗号化されて記録され、上記復号可能な形態のデータには、上記第１のエラー訂正符号によってエラー訂正符号化され暗号化されたデータを復号するのに用いられるデータが含まれている請求項１９に記載の記録媒体。
【請求項２１】
記録媒体に、第１のエラー訂正符号によってエラー訂正符号化された少なくとも一つのデータと、上記第１のエラー訂正符号によって復号可能で、且つ上記第１のエラー訂正符号とは異なる第２のエラー訂正符号によっても復号可能な形態のデータとを少なくとも記録する記録媒体の記録方法。
【請求項２２】
上記方法は、入力されたデータに第１の訂正符号によってエラー訂正符号化処理を含むエンコード処理を施して上記記録媒体に記録すると共に、
上記第１のエラー訂正符号と上記第２のエラー訂正符号によっても復号可能な形態のデータに変換して上記復号可能な形態のデータを生成する請求項２１に記載の記録媒体の記録方法。
【請求項２３】
上記方法は、上記第１のエラー訂正符号と上記第２のエラー訂正符号によっても復号可能な形態のデータに変換した後にさらに上記第２のエラー訂正符号によってエラー訂正符号化した後に上記記録媒体に記録する請求項２２に記載の記録媒体の記録方法。
【請求項２４】
上記記録媒体は、リードイン領域とデータ記録領域とリードアウト領域とを備え、上記方法は、上記第１のエラー訂正符号によってエラー訂正符号化されたデータと上記復号可能な形態のデータとを上記データ記録領域に記録する請求項２１に記載の記録媒体の記録方法。
【請求項２５】
上記第１のエラー訂正符号と上記第２のエラー訂正符号は、少なくとも２方向の符号化系列に符号化を行うものであって、且つ上記符号化系列のみ異なる符号であり、
上記復号可能な形態のデータは、上記２方向の符号化系列のうちの一方向の符号化系列を単位として所定のデータが繰り返されるデータである請求項２１に記載の記録媒体の記録方法。
【請求項２６】
上記第１のエラー訂正符号と上記第２のエラー訂正符号は、垂直方向のＣ１系列と斜め方向のＣ２系列に符号化を行う符号であって、且つインターリーブ長が異なる符号であり、
上記復号可能な形態のデータは、上記Ｃ１系列を単位として所定のデータが繰り返されるものである請求項２１に記載の記録媒体の記録方法。
【請求項２７】
上記方法は、上記復号可能な形態のデータを上記第１のエラー訂正符号によって符号化されたデータと混在するように記録される請求項２６に記載の記録媒体の記録方法。
【請求項２８】
上記方法は、上記復号可能な形態のデータは、上記Ｃ１系列エラーが含まれている請求項２７に記載の記録媒体の記録方法。
【請求項２９】
上記方法は、上記第１のエラー訂正符号によってエラー訂正符号化されたデータと上記復号可能な形態のデータとが混在するように記録された部分は、上位ビットが全て同じ値となるように記録されている請求項２７に記載の記録媒体の記録方法。
【請求項３０】
上記方法は、上記第１のエラー訂正符号によってエラー訂正符号化されたデータと上記復号可能な形態のデータとが混在するように記録された部分が、再生時に可聴帯域の音となるように記録する請求項２７に記載の記録媒体の記録方法。
【請求項３１】
上記方法は、上記第１のエラー訂正符号によってエラー訂正符号化されたデータと上記復号可能な形態のデータとが混在するように記録された部分には、０のデータと１のデータとを所定の周期で繰り返して記録する請求項３０に記載の記録媒体の記録方法。
【請求項３２】
上記方法は、さらに上記記録媒体に上記復号可能な形態のデータの記録位置を示すデータを記録する請求項２１に記載の記録媒体の記録方法。
【請求項３３】
上記方法は、さらに上記入力されたデータに暗号化処理を施した後に、上記第１のエラー訂正符号によってエラー訂正符号化し、上記復号可能な形態のデータには、上記第１のエラー訂正符号によってエラー訂正符号化され暗号化されたデータを復号するのに用いられるデータが含まれている請求項３２に記載の記録媒体の記録方法。
【請求項３４】
入力されたデータに第１のエラー訂正符号によってエラー訂正符号化処理を含むエンコード処理を施すエンコード処理部と、
上記エンコード処理部からの出力データが供給され、記録媒体に記録を行う記録部と、
上記第１のエラー訂正符号によって復号可能で、且つ上記第１のエラー訂正符号とは異なる第２のエラー訂正符号によっても復号可能な形態のデータを生成し、上記エンコード処理部に供給する生成部と
を備えている記録媒体の記録装置。
【請求項３５】
上記装置は、さらに上記生成部からの出力データに上記第２のエラー訂正符号によってエラー訂正符号化処理を施すエラー訂正符号化処理部を備えている請求項３４に記載の記録媒体の記録装置。
【請求項３６】
上記記録媒体は、リードイン領域とデータ記録領域とリードアウト領域とを備え、
上記装置は、上記記録部によって上記エンコード処理部からの出力データを上記データ記録領域に記録する請求項３４に記載の記録媒体の記録装置。
【請求項３７】
上記第１のエラー訂正符号と上記第２のエラー訂正符号は、少なくとも２方向の符号化系列に符号化を行うものであって、且つ上記符号化系列のみ異なる符号であり、
上記復号可能な形態のデータは、上記２方向の符号化系列のうちの一方向の符号化系列を単位として所定のデータが繰り返されるデータである請求項３４に記載の記録媒体の記録装置。
【請求項３８】
上記第１のエラー訂正符号と上記第２のエラー訂正符号は、垂直方向のＣ１系列と斜め方向のＣ２系列に符号化を行う符号であって、且つインターリーブ長が異なる符号であり、
上記復号可能な形態のデータは、上記Ｃ１系列を単位として所定のデータが繰り返されるものである請求項３７に記載の記録媒体の記録装置。
【請求項３９】
上記装置は、上記記録部によって上記復号可能な形態のデータを上記第１のエラー訂正符号によって符号化されたデータと混在するように記録する請求項３８に記載の記録媒体の記録装置。
【請求項４０】
上記生成部には、上記記録媒体に上記復号可能な形態のデータの記録位置を示すデータが供給される請求項３４に記載の記録媒体の記録装置。
【請求項４１】
上記装置は、さらに上記入力されたデータに暗号化処理を施し、出力データを上記エンコード処理部に供給する暗号化処理部を備え、
上記生成部には上記暗号化処理部による暗号化をされたデータを復号するのに用いられるデータが供給される請求項３４に記載の記録媒体の記録装置。
【請求項４２】
第１のエラー訂正符号によってエラー訂正符号化された少なくとも一つのデータと、上記第１のエラー訂正符号によって復号可能で、且つ上記第１のエラー訂正符号とは異なる第２のエラー訂正符号によっても復号可能な形態のデータとが少なくとも記録された記録媒体からデータを読み出すヘッド部と、
上記ヘッド部からの出力信号に上記第１のエラー訂正符号によってエラー訂正復号化処理を含むデコード処理を行うデコード処理部と、
上記デコード処理部の出力データのうち上記復号可能な形態のデータに基づく出力データにより制御を行う制御部を備えている記録媒体の再生装置。
【請求項４３】
上記記録媒体には上記第１のエラー訂正符号によってエラー訂正符号化されたデータは暗号化されて記録され、上記復号可能な形態のデータには、上記第１のエラー訂正符号によってエラー訂正符号化され暗号化されたデータを復号するのに用いられるデータが含まれており、
上記装置は、
さらに上記デコード処理部から出力される上記復号可能な形態のデータに基づく出力データから上記復号するのに用いられるデータを抽出する抽出部と、
上記抽出部によって抽出された上記復号するのに用いられるデータを用いて上記デコード処理部からのデータの暗号化を復号する復号化回路部と
を備えている請求項４２に記載の記録媒体の再生装置。
【請求項４４】
上記記録媒体には、さらに上記復号可能な形態のデータの記録位置を示すデータが記録されており、
上記制御部は、上記ヘッド部を制御して上記記録媒体から上記記録位置を示すデータを読み出し、上記読み出された記録位置を示すデータを用いて上記復号可能な形態のデータを読み出す請求項４２に記載の記録媒体の再生装置。
【請求項４５】
上記記録媒体には、上記第１のエラー訂正符号によってエラー訂正符号化されたデータは暗号化されて記録され、上記復号可能な形態のデータには、上記第１のエラー訂正符号によってエラー訂正符号化され暗号化されたデータを復号するのに用いられるデータが含まれており、
上記装置は、
さらに上記記録媒体から読み出された上記復号可能な形態のデータを上記デコード処理部でデコード処理した結果得られる出力データから上記復号するのに用いられるデータを抽出する抽出部と、
上記抽出部によって抽出された上記復号するのに用いられるデータを用いて上記デコード処理部からのデータの暗号化を復号する復号化回路部と
を備えている請求項４４に記載の記録媒体の再生装置。
【請求項４６】
上記装置は、
さらに上記抽出部によって抽出された上記復号するのに用いられるデータと上記装置に固有の鍵データとによって第１の鍵データを生成する第１の鍵データ生成回路部と、
上記デコード処理部からの出力データから第２の鍵データを生成し、上記生成された上記第２の鍵データを上記復号化回路部に供給する第２の鍵データ生成部と
を備えている請求項４５に記載の記録媒体の再生装置。
【請求項４７】
上記第１のエラー訂正符号と上記第２のエラー訂正符号は、少なくとも２方向の符号化系列に符号化を行うものであって、且つ上記符号化系列のみ異なる符号であり、
上記復号可能な形態のデータは、上記２方向の符号化系列のうちの一方向の符号化系列を単位として所定のデータが繰り返されるデータである請求項４２に記載の記録媒体の再生装置。
【請求項４８】
上記第１のエラー訂正符号と上記第２のエラー訂正符号は、垂直方向のＣ１系列と斜め方向のＣ２系列に符号化を行う符号であって、且つインターリーブ長が異なる符号であり、
上記復号可能な形態のデータは、上記Ｃ１系列を単位として所定のデータが繰り返されるものである請求項４７に記載の記録媒体の再生装置。
【請求項４９】
上記記録媒体には、上記復号可能な形態のデータを上記第１のエラー訂正符号によって符号化されたデータと混在するように記録されている請求項４８に記載の記録媒体の再生装置。
【請求項５０】
第１のエラー訂正符号によってエラー訂正符号化された少なくとも一つのデータと、上記第１のエラー訂正符号によって復号可能で、且つ上記第１のエラー訂正符号とは異なる第２のエラー訂正符号によっても復号可能な形態のデータとが少なくとも記録された記録媒体から読み出されたデータを上記第１のエラー訂正符号によってエラー訂正復号化処理を含むデコード処理を行い、
上記デコード処理された出力データのうち上記復号可能な形態のデータに基づく出力データにより制御を行う記録媒体の再生方法。
【請求項５１】
上記記録媒体には、上記第１のエラー訂正符号によってエラー訂正符号化されたデータは暗号化されて記録され、上記復号可能な形態のデータには、上記第１のエラー訂正符号によってエラー訂正符号化され暗号化されたデータを復号するのに用いられるデータが含まれており、
上記方法は、
さらに上記デコード処理された出力データから上記復号するのに用いられるデータを抽出し、上記抽出された上記復号するのに用いられるデータを用いて上記デコード処理されたデータの暗号化を復号する請求項５０に記載の記録媒体の再生方法。
【請求項５２】
上記記録媒体には、さらに上記復号可能な形態のデータの記録位置を示すデータが記録されており、
上記方法は、上記記録媒体から上記記録位置を示すデータを読み出し、上記読み出された記録位置を示すデータを用いて上記復号可能な形態のデータを読み出す請求項５０に記載の記録媒体の再生方法。
【請求項５３】
上記記録媒体には、上記第１のエラー訂正符号によってエラー訂正符号化されたデータは暗号化されて記録され、上記復号可能な形態のデータには、上記第１のエラー訂正符号によってエラー訂正符号化され暗号化されたデータを復号するのに用いられるデータが含まれており、
上記方法は、
さらにデコード処理された出力データから上記復号するのに用いられるデータを抽出し、上記抽出された上記復号するのに用いられるデータを用いて上記デコード処理された出力データの暗号化を復号する請求項５２に記載の記録媒体の再生方法。
【請求項５４】
上記方法は、
さらに上記抽出された上記復号するのに用いるデータと上記記録媒体を再生する装置に固有の鍵データによって上記第１の鍵データを生成し、
上記デコード処理された出力データから第２の鍵データを生成し、上記生成された上記第２の鍵データを用いて上記デコード処理された出力データの暗号化を復号する請求項５３に記載の記録媒体の再生方法。
【請求項５５】
上記第１のエラー訂正符号と上記第２のエラー訂正符号は、少なくとも２方向の符号化系列に符号化を行うものであって、且つ上記符号化系列のみ異なる符号であり、
上記復号可能な形態のデータは、上記２方向の符号化系列のうちの一方向の符号化系列を単位として所定のデータが繰り返されるデータである請求項５０に記載の記録媒体の再生方法。
【請求項５６】
上記第１のエラー訂正符号と上記第２のエラー訂正符号は、垂直方向のＣ１系列と斜め方向のＣ２系列に符号化を行う符号であって、且つインターリーブ長が異なる符号であり、
上記復号可能な形態のデータは、上記Ｃ１系列を単位として所定のデータが繰り返されるものである請求項５５に記載の記録媒体の再生方法。
【請求項５７】
上記記録媒体には、上記復号可能な形態のデータを上記第１のエラー訂正符号によって符号化されたデータと混在するように記録されている請求項５６に記載の記録媒体の再生方法。
【発明の詳細な説明】
【０００１】
【発明の属する技術分野】
この発明は、コンテンツデータを暗号化して記録するようにした記録媒体、このような記録媒体にデータを記録する記録方法および装置、ならびに、このような記録媒体の再生を行う再生装置および方法に関する。
【０００２】
【従来の技術】
ＣＤ（Ｃｏｍｐａｃｔ  Ｄｉｓｃ  ）やＣＤ−ＲＯＭ（Ｃｏｍｐａｃｔ  Ｄｉｓｃ  Ｒｅａｄ  Ｏｎｌｙ  Ｍｅｍｏｒｙ）等の光ディスクは、取り扱いが容易で、製造コストも比較的安価なことから、データを保存しておくための記録媒体として、広く普及している。また、近年、データが追記録可能なＣＤ−Ｒ（Ｃｏｍｐａｃｔ  Ｄｉｓｃ  Ｒｅｃｏｒｄａｂｌｅ）ディスクや、データの再記録可能なＣＤ−ＲＷ（Ｃｏｍｐａｃｔ  Ｄｉｓｃ  ＲｅＷｒｉｔａｂｌｅ）ディスクが登場してきており、このような光ディスクにデータを記録することも簡単に行えるようになってきてきる。このことから、ＣＤ−ＤＡディスクや、ＣＤ−ＲＯＭディスク、ＣＤ−Ｒディスク、ＣＤ−ＲＷディスク等、ＣＤ規格に準拠した光ディスクは、データ記録媒体の中核となってきている。更に、近年、ＭＰ３（ＭＰＥＧ１  Ａｕｄｉｏ  Ｌａｙｅｒ−３  ）やＡＴＲＡＣ（Ａｄａｐｔｉｖｅ  ＴＲａｎｓｆｏｒｍ  Ａｃｏｕｓｔｉｃ  Ｃｏｄｉｎｇ）３で圧縮されたオーディオデータ等のようなコンテンツデータを、ＣＤ−ＲＯＭディスクやＣＤ−Ｒディスク、ＣＤ−ＲＷディスク等に記録することが行われている。
【０００３】
ところが、ＣＤ−ＲディスクやＣＤ−ＲＷディスクの登場により、このような光ディスクのデータは簡単にコピーできるようになってきている。このため、ディスクに記録されたデータを他のディスクに不正にコピーして利用されることが多くなり、著作権の保護の問題が生じてきている。このため、このような光ディスクにコンテンツデータを記録する際に、コンテンツデータの著作権の保護を図るための対策を講じる必要性がある。
【０００４】
【発明が解決しようとする課題】
このような光ディスクに記録されたコンテンツデータを保護するための方法の１つとしては、ディスクに記録するコンテンツデータを暗号化することがある。ディスクに記録するコンテンツデータを暗号化しておけば、コンテンツのデータを復号するための鍵を取得しない限り、コンテンツのデータが復号できないことになり、コンテンツのデータの保護が図れる。また、コンテンツのデータの著作権保護に関する情報であるＤＲＭ（Ｄｉｇｉｔａｌ  Ｒｉｇｈｔｓ  Ｍａｎａｇｅｍｅｎｔ）データを入れておき、このＤＲＭのデータにより、コンテンツのデータの再生、コピーを制限するようなシステムを構築することが考えられる。
【０００５】
しかしながら、コンテンツデータの著作権を保護するためにコンテンツデータを暗号化した場合には、その鍵情報の記録位置が問題となる。コンテンツデータを強力に保護することを考えると、鍵情報は、通常のプレーヤやドライブでは簡単にアクセスできないような所に記録しておくことが望ましい。通常のプレーヤやドライブでは簡単にアクセスできないような所としては、例えば、ディスクのリードインやリードアウト等が考えられる。
【０００６】
ところが、コンテンツデータを復号するための鍵情報を、ディスクのリードインやリードアウト等、通常では簡単にアクセスできない所に記録してしまうと、それに対応した新規なプレーヤやドライブでなければ、コンテンツのデータを再生できなくなってしまう。ＣＤ−ＤＡディスクや、ＣＤ−ＲＯＭディスク、ＣＤ−Ｒディスク、ＣＤ−ＲＷディスクを記録再生するプレーヤやドライブが既に広く普及しており、これら既に広く普及している既存のプレーヤやドライブとの互換性を考慮すると、通常では簡単にアクセスできないような所に鍵情報を記録することはできず、ディスクのプログラム領域等、比較的簡単にアクセスできる所に、鍵情報を記録せざる得ない。
【０００７】
ところが、鍵情報をプログラム領域に記録してしまうと、コンテンツのデータの保護が十分に図られなくなる危険性が危惧される。特に、既存のＣＤ−ＲやＣＤ−ＲＷドライブでは、ディスクコピーの機能を持っているものがある。このようなドライブでは、１つのディスクのデータをそのまま他のディスクにコピーすることができる。このような機能を使うと、プログラム領域に記録された鍵情報についても、そのままコピーされてしまう可能性がある。
【０００８】
したがって、この発明の目的は、ディスクコピーによる複製を防止できるようにして、コンテンツの著作権の保護が図れるようにした記録媒体、記録方法および装置、ならびに、再生装置および方法を提供することにある。
【０００９】
この発明は、第１のエラー訂正符号によってエラー訂正符号化された少なくとも一つのデータと、第１のエラー訂正符号によって復号可能で、且つ第１のエラー訂正符号とは異なる第２のエラー訂正符号によっても復号可能な形態のデータとが少なくとも記録される記録媒体である。
【００１０】
この発明は、第１のエラー訂正符号によりエラー訂正符号化されたデータと、第２のエラー訂正符号によりエラー訂正符号化されたデータと、第１のエラー訂正符号によって復号可能で、且つ第２のエラー訂正符号によっても復号可能な形態のデータとが少なくとも記録される記録媒体である。
【００１１】
この発明は、記録媒体に、第１のエラー訂正符号によってエラー訂正符号化された少なくとも一つのデータと、第１のエラー訂正符号によって復号可能で、且つ第１のエラー訂正符号とは異なる第２のエラー訂正符号によっても復号可能な形態のデータとを少なくとも記録する記録媒体の記録方法である。
【００１２】
この発明は、入力されたデータに第１のエラー訂正符号によってエラー訂正符号化処理を含むエンコード処理を施すエンコード処理部と、エンコード処理部からの出力データが供給され、記録媒体に記録を行う記録部と、第１のエラー訂正符号によって復号可能で、且つ第１のエラー訂正符号とは異なる第２のエラー訂正符号によっても復号可能な形態のデータを生成し、エンコード処理部に供給する生成部とを備えている記録媒体の記録装置である。
【００１３】
この発明は、第１のエラー訂正符号によってエラー訂正符号化された少なくとも一つのデータと、第１のエラー訂正符号によって復号可能で、且つ第１のエラー訂正符号とは異なる第２のエラー訂正符号によっても復号可能な形態のデータとが少なくとも記録された記録媒体からデータを読み出すヘッド部と、ヘッド部からの出力信号に第１のエラー訂正符号によってエラー訂正復号化処理を含むデコード処理を行うデコード処理部と、デコード処理部の出力データのうち復号可能な形態のデータに基づく出力データにより制御を行う制御部を備えている記録媒体の再生装置、第１のエラー訂正符号によってエラー訂正符号化された少なくとも一つのデータと、第１のエラー訂正符号によって復号可能で、且つ第１のエラー訂正符号とは異なる第２のエラー訂正符号によっても復号可能な形態のデータとが少なくとも記録された記録媒体から読み出されたデータを第１のエラー訂正符号によってエラー訂正復号化処理を含むデコード処理を行い、デコード処理された出力データのうち復号可能な形態のデータに基づく出力データにより制御を行う記録媒体の再生方法である。
【００１４】
データ記録媒体として用いられる光ディスクには、少なくとも２以上の複数のエラー訂正符号によりエラー訂正符号化されたデータが記録される。例えば、データがＣＩＲＣ４方式でエラー訂正符号化されて記録される中に、ＣＩＲＣ７方式でエラー訂正符号化される領域が設けられる。その中に、ＣＩＲＣ４方式でも、ＣＩＲＣ７方式でも復号可能な形態のデータが記録される。ＣＩＲＣ４方式でも、ＣＩＲＣ７方式でも復号可能な形態のデータは、Ｃ１系列を単位として所定のデータが繰り返すものである。
【００１５】
このような光ディスクを、通常用いられているＣＩＲＣ４方式の復号回路で復号してディスクコピーすると、ＣＩＲＣ７方式でエラー訂正符号化される領域で訂正不能なエラーが発生するため、コピー不可能になる。或いは、コピーできたとしても、データが書き換わってしまう。ＣＩＲＣ４方式でもＣＩＲＣ７方式でも復号可能な形態のデータ中に、例えば、鍵情報の一部を記録しておけば、鍵情報の安全性が向上する。
【００１６】
【発明の実施の形態】
以下、この発明の実施の形態について図面を参照して説明する。この実施形態は、記録媒体として、新規な光ディスクとしてのＣＤ２ディスクが用いられる。ＣＤ２ディスクは、ＣＤディスクとサイズ等の物理的規格が殆ど同一のものであり、現行のディスクドライブで、ディスク上の情報を光学的に読み取ることが可能なものである。
【００１７】
ＣＤ２ディスク上には、暗号化されたコンテンツデータが記録されている。暗号化されたコンテンツデータは、一例として、ＣＤ−ＲＯＭフォーマットまたはＣＤ−ＤＡフォーマットのオーディオ、画像等のコンテンツデータを暗号化したものである。暗号化方法としては、ＤＥＳ（Ｄａｔａ  Ｅｎｃｒｙｐｔｉｏｎ  Ｓｔａｎｄａｒｄ）等を使用できる。さらに、必要に応じてコンテンツデータは、ＡＴＲＡＣ３（Ａｄａｐｔｉｖｅ  ＴＲａｎｓｆｏｒｍ  Ａｃｏｕｓｔｉｃ  Ｃｏｄｉｎｇ  ３）  、ＭＰ３（ＭＰＥＧ１  Ａｕｄｉｏ  Ｌａｙｅｒ−３  ）  、ＡＡＣ（ＭＰＥＧ２  Ａｄｖａｎｃｅｄ  Ａｕｄｉｏ  Ｃｏｄｉｎｇ  ）、ＴｗｉｎＶＱ等によって圧縮符号化されている。
【００１８】
図１及び図２は、この発明が適用された光ディスクの構成を示すものである。図１に示すように、この発明が適用された光ディスク１は、その直径が１２０ｍｍとされており、その中央に孔２を有している。なお、光ディスク１としては、直径８０ｍｍの、所謂ＣＤシングルと称されるものもある。
【００１９】
光ディスク１には、再生専用のものと、追記可能なものと、再記録可能なものとがある。
【００２０】
再生専用の光ディスク１では、記録層の部材としてアルミニウムが用いられている。再生専用の光ディスク１の場合には、情報が物理的なピットとして記録されており、通常、スタンパを用いてディスクが生産されている。
【００２１】
追記可能な光ディスク１は、記録層にフタロシアニンやシアニン等の有機色素が用いられる。追記可能な光ディスクでは、書き込み時には、レーザーでディスク上の有機色素が昇温される。これにより、有機色相が熱変形される。
【００２２】
再記録可能な光ディスク１は記録層に相変化材料が用いられる。相変化材料は、Ａｇ−Ｉｎ−Ｓｂ−Ｔｅ（銀−インジウム−アンチモン−テルル）の合金が用いられる。このような物質は、結晶相とアモルファス相（非結晶）を持つ。光ビーム強度が強いときは、相変化記録膜が融点以上に昇温された後に急速に冷却され、相変化記録膜はアモルファス状態となる。また光ビーム強度が比較的弱いときは、相変化記録膜は結晶化温度付近まで昇温された後、徐々に冷却され、結晶状態となる。
【００２３】
図２に示すように、光ディスク１の最内周には、第１のリードイン領域ＬＩ１が設けられ、その外周に、第１のプログラム領域ＰＡ１が設けられ、第１のプログラム領域ＰＡ１の外側に、第１のリードアウト領域ＬＯ１が設けられる。第１のプログラム領域ＰＡ１には、ＣＤ−ＤＡと同様の記録形態で、オーディオデータが記録される。この第１のプログラム領域ＰＡ１のオーディオデータは、ＣＤ−ＤＡと同様の記録形態であると共に、暗号化されていないので、通常の音楽再生用のプレーヤで再生することが可能である。
【００２４】
第１のリードアウト領域ＬＯ１の外側に、第２のリードイン領域ＬＩ２が設けられ、その外周に、第２のプログラム領域ＰＡ２が設けられ、第２のプログラム領域ＰＡ２の外側に、第２のリードアウト領域ＬＯ２が設けられる。第２のプログラム領域ＰＡ２には、コンテンツデータとして、例えばＡＴＲＡＣ３で圧縮されたオーディオデータが暗号化されて記録される。
【００２５】
更に、第２のプログラム領域ＰＡ２は、データがＣＩＲＣ４方式でエラー訂正符号化されている領域ＡＲ１と、データがＣＩＲＣ７方式でエラー訂正符号化されている領域ＡＲ２とに分けられている。
【００２６】
領域ＡＲ１には、上述のように、例えばＡＴＲＡＣ３で圧縮されたオーディオデータが暗号化され、コンテンツデータとして記録される。これと共に、領域ＡＲ１には、キーロッカＫ＿ＬＯＣＫのデータと、ソフトウェアプレーヤＳＦＴ１のデータとが記録される。
【００２７】
なお、キーロッカとは、複数のコンテンツ鍵をコード化して暗号化したものである。複数のコンテンツ鍵をコード化して暗号化したものは、複数のコンテンツ鍵を格納している実社会のロッカと見立てることができるので、キーロッカと称される。すなわち、実社会では、各部屋の鍵を１つのロッカに収納して、鍵をかけて管理していることが多い。光ディスクに記録されている複数のコンテンツを復号するためのコンテンツ鍵をコード化して暗号化することは、実社会の各部屋の鍵をロッカに収納して管理することに似ているので、複数のコンテンツ鍵を含められてコード化し暗号化することを、キーロッカと称している。さらに、このキーロッカには、各コンテンツについてのコンテンツの再生制限、コピー制限等、著作権についての管理をするための情報である著作権管理情報を含めることができる。
【００２８】
ソフトウェアプレーヤＳＦＴ１は、コンテンツデータの復号をソフトウェアで行うためのプログラムデータである。
【００２９】
領域ＡＲ２には、そのどこかに、第２のプログラム領域ＰＡ２の領域ＡＲ１に記録されているコンテンツデータの暗号を復号するための鍵情報の少なくとも一部が隠し鍵ＫＨとして記録されている。そして、この隠し鍵ＫＨは、ＣＩＲＣ４方式でもＣＩＲＣ７方式でも復号可能な形態で記録されている。
【００３０】
すなわち、ＣＩＲＣ４方式とＣＩＲＣ７方式とは、後に説明するように、共に、通常のＣＤで用いられているＣＩＲＣ（Ｃｒｏｓｓ  Ｉｎｔｅｒｌｅａｖｅ  Ｒｅｅｄ−Ｓｏｌｏｍｏｎ  Ｃｏｄｅ）方式を基本としてエラー訂正符号化を行うものであるが、そのインターリーブ長が異なっている。通常のＣＤ−ＲディスクやＣＤ−Ｒディスク、ＣＤ−ＲＷディスクのドライブで用いられているエラー訂正符号化方式を、ここではＣＩＲＣ４方式と称している。倍密度ＣＤで採用が予定されているエラー訂正符号化方式を、ここではＣＩＲＣ７方式と称している。
【００３１】
ＣＩＲＣ４方式のエラー訂正復号器では、ＣＩＲＣ７方式でエラー訂正符号化されたデータを復号できない。このため、ＣＩＲＣ７方式でエラー訂正符号化されている領域ＡＲ２のデータは、既存の通常のプレーヤやドライブでは復号できない。
【００３２】
しかしながら、ある特別な配列になるデータは、ＣＩＲＣ４方式でも、ＣＩＲＣ７方式でも、復号することができる。特別な関係というのは、後に説明するように、データを２次元配列したときに、垂直方向を単位として所定のデータを繰り返すようなデータの場合である。上述の隠し鍵ＫＨは、このように垂直方向を単位として所定のデータを繰り返すようなデータとされて、ＣＩＲＣ７方式でエラー訂正符号化が行われ、領域ＡＲ２中に記録されている。
【００３３】
図１及び図２に示すような光ディスク１においては、ＣＩＲＣ４方式のエラー訂正復号回路しか持たない既存のプレーヤやドライブで第２のプログラム領域ＰＡ２に記録されているコンテンツデータを復号する場合、ソフトウェアプレーヤＳＦＴ１のアプリケーションが起動される。
【００３４】
ソフトウェアプレーヤＳＦＴ１中には、キーロッカＫ＿ＬＯＣＫのデータを復号するための隠し鍵ＫＨが領域ＡＲ２中の記録位置が書かれている。ソフトウェアプレーヤＳＦＴ１のアプリケーションが起動されると、隠し鍵ＫＨが記録されている位置が指定される。
【００３５】
隠し鍵ＫＨは、領域ＡＲ２中に、ＣＩＲＣ４方式でもＣＩＲＣ７方式でも復号可能な形態で記録されている。したがって、ＣＩＲＣ４方式のエラー訂正復号回路しか持たない既存のプレーヤやドライブでも、その記録位置さえ分かれば、領域ＡＲ２中から、隠し鍵ＫＨを得ることができる。
【００３６】
ソフトウェアプレーヤＳＦＴ１により領域ＡＲ２中の隠し鍵ＫＨが記録されている位置が指定されると、その位置をアクセスして、第２の領域ＡＲ２から、隠し鍵ＫＨが得られる。
【００３７】
その隠し鍵ＫＨから、キーロッカの暗号を復号するためのキーロッカ鍵ＫＬが生成され、このキーロッカ鍵ＫＬにより、ロッカＫ＿ＬＯＣＫのデータが取り出される。そして、キーロッカＫ＿ＬＯＣＫの中から、コンテンツデータを復号するためのコンテンツ鍵ＫＣが取り出され、このコンテンツ鍵ＫＣにより、コンテンツデータが復号される。
【００３８】
なお、上述の例では、コンテンツデータを復号するためのコンテンツ鍵ＫＣをキーロッカＫ＿ＬＯＣＫに格納し、このキーロッカの暗号を復号するためのキーロッカ鍵ＫＬを生成するための鍵の一部を、隠し鍵ＫＨとして、領域ＡＲ２に記録しているが、これは、多重に鍵をかけることで、セキュリティを向上させると共に、管理をし易くするためである。
【００３９】
勿論、コンテンツ鍵ＫＣを、ＣＩＲＣ７でエラー訂正符号化が行われる領域ＡＲ２に、ＣＩＲＣ４方式でもＣＩＲＣ７方式でも復号できる態様で記録しておくようにしても良い。また、キーロッカ鍵ＫＬを、ＣＩＲＣ７でエラー訂正符号化が行われる領域ＡＲ２に、ＣＩＲＣ４方式でもＣＩＲＣ７方式でも復号できる態様で記録しておくようにしても良い。
【００４０】
その他、種々の暗号化方式が考えられるが、要するに、コンテンツデータを復号するための鍵の少なくとも一部を、ＣＩＲＣ７でエラー訂正符号化が行われる領域ＡＲ２に、ＣＩＲＣ４方式でもＣＩＲＣ７方式でも復号できる態様で記録しておき、その記録位置を示す情報を用意するようにすれば良い。
【００４１】
この発明が適用された光ディスク１では、このように、第２のプログラム領域ＰＡ２は、エラー訂正符号化方式の異なる２つの領域ＡＲ１及びＡＲ２に分けられている。そして、領域ＡＲ２には、ＣＩＲＣ７方式でもＣＩＲＣ４方式でも復号可能な形態で、コンテンツデータを復号するための鍵の少なくとも一部が記録されている。
【００４２】
このような光ディスク１では、たとえ領域ＡＲ２にコンテンツデータを復号するための鍵の少なくとも一部である隠し鍵ＫＨが記録されていることが知られていても、その隠し鍵ＫＨは、ＣＩＲＣ７方式でデータがエラー訂正符号化された領域ＡＲ２に記録されており、通常のプレーヤやドライブで領域ＡＲ２を読み出すと、訂正不能なエラーとなる。このため、簡単には、隠し鍵ＫＨを探すことはできない。
【００４３】
また、領域ＡＲ２は、ＣＩＲＣ７方式でデータがエラー訂正符号化された領域であるから、ディスクコピーをしても、領域ＡＲ２のデータはそのまコピーされることはなく、隠し鍵ＫＨは保護される。このため、ディスクコピーに対するセキュリティも向上する。
【００４４】
つまり、図３は、オリジナルの光ディスク１Ａからコピー先の光ディスク１Ｂにデータをディスクコピーする場合の処理の概要を示すものである。図３において、オリジナルの光ディスク１Ａの領域ＡＲ２には、上述のように、ＣＩＲＣ７方式でエラー訂正符号化されたデータが記録されており、その中に、ＣＩＲＣ４方式でもＣＩＲＣ７方式でもデコードできるデータ形式で、隠し鍵ＫＨが記録されている。
【００４５】
再生装置３１には、オリジナルの光ディスク１Ａが装着され、光ディスク１Ａのデータが読み出される。このオリジナルの光ディスク１Ａのデータは、ＣＩＲＣ４方式のエラー訂正処理を行うエラー訂正回路３３で、エラー訂正処理される。
【００４６】
ここで、オリジナルの光ディスク１Ａの領域ＡＲ２には、図４Ａに示すように、ＣＩＲＣ７方式でエラー訂正符号化されたデータが記録され、その中に、ＣＩＲＣ４方式でもＣＩＲＣ７方式でも復号できる態様で隠し鍵ＫＨが記録されているとする。この場合、領域ＡＲ２のデータは、ＣＩＲＣ４方式でもＣＩＲＣ７方式でも復号できる部分を除いて、殆どが訂正不能なエラーとなる。殆どが訂正不能なエラーとなった場合、機器によっては、以上ありとして、そこで動作が停止してしまう。異常が発生しているとして、そこで、動作が停止してしまうような機器では、ディスクコピーは行えない。
【００４７】
また、再生が行われたとしても、通常、訂正不能なエラーのところは、補間データで埋められる。訂正不能なエラーは補間データで埋められるとすると、再生装置３１からのデータが出力されるときには、領域ＡＲ２に相当するデータは、図４Ｂに示すように、補間データで埋め込まれることになり、隠し鍵ＫＨは消えてしまうことになる。
【００４８】
再生装置３１ではこのような補間処理が行われ、再生装置３１の出力データが記録装置３２に送られたとする。記録装置３２には、コピー先の光ディスク１Ｂが装着される。記録装置３２に入力されたデータは、ＣＩＲＣ４方式のエラー訂正符号化回路３４に供給される。エラー訂正符号化回路３４で、入力データに対して、ＣＩＲＣ４方式でエラー訂正符号化処理が行われる。このようにＣＩＲＣ４方式でエラー訂正符号化処理されたデータが光ディスク１Ｂに記録される。
【００４９】
したがって、コピーされた光ディスク１Ｂでは、領域ＡＲ２に相当する部分にも、ＣＩＲＣ４方式でエラー訂正符号化処理されたデータが記録されることになる。これにより、図４Ｃに示すように、領域ＡＲ２中の隠し鍵は、完全に消えてしまうことになる。
【００５０】
このように、エラー訂正符号は、本来、バーストエラーやランダムエラーの検出、訂正処理をするために付加されている。しかしながら、この発明が適用された光ディスク１では、ＣＩＲＣ７方式でもＣＩＲＣ４方式でも復号可能な形態で、コンテンツデータを復号するための鍵の少なくとも一部を、ＣＩＲＣ７方式でエラー訂正符号化がされている領域ＡＲ２に記録するようにして、セキュリティの向上を図るようにしている。
【００５１】
次に、ＣＲＩＣ４方式のエラー訂正符号とＣＩＲＣ７方式のエラー訂正符号について説明する。
【００５２】
ＣＤでは、エラー訂正符号化方式として、Ｃ１系列（垂直方向）とＣ２系列（斜め方向）とに２重にエラー訂正符号化処理を行うＣＩＲＣが採用されている。そして、エラー訂正符号化されたデータは、１フレームを単位として、ＥＦＭ変調されて記録される。
【００５３】
図５は、ＥＦＭ変調される前のＣＤのデータ構造の１フレームを示すものである。
【００５４】
１フレームは、図５に示すように、オーディオデータを１６ビットでサンプリングした場合に、Ｌ（左）、Ｒ（右）各６サンプル分に相当する２４シンボル（１シンボルは１６ビットを２分割してなる８ビット）のデータビットと、４シンボルのＱパリティと、４シンボルのＰパリティと、１シンボルのサブコードとからなる。ディスク上に記録される１フレームのデータは、ＥＦＭ変調により、８ビットが１４ビットに変換されると共に直流分抑圧ビットが付加され、フレームシンクが付加される。
【００５５】
したがって、ディスク上に記録される１フレームは、
フレームシンク  ２４チャンネルビット
データビット    １４×２４＝３３６チャンネルビット
サブコード      １４チャンネルビット
パリティ        １４×８＝１１２チャンネルビット
マージンビット  ３×３４＝１０２チャンネルビット
からなる。したがって、１フレームの総チャンネルビット数が５８８チャンネルビットである。
【００５６】
各フレームの１シンボルのサブコードは、Ｐ〜Ｗの８チャンネルの各チャンネルの１ビットとを含む。図６に示すように、サブコードの完結する周期（９８フレーム）のデータによって１セクタが構成される。なお、９８フレームの先頭の２フレームのサブコードは、サブコードフレームシンクＳ０  、Ｓ１  である。ＣＤ−ＲＯＭ等で光ディスクのデータを記録する場合には、サブコードの完結する単位である９８フレーム（２，３５２バイト）が１セクタとされる。
【００５７】
図７及び図８は、ＣＩＲＣ方式の符号化の流れに沿って表されたブロック図である。なお、ＣＩＲＣの符号化／復号化の説明では、理解の容易のために、オーディオデータの符号化を対象とする。
【００５８】
オーディオ信号の１ワードが上位８ビットと下位８ビットとに分割されてなる２４シンボル（Ｗ１２ｎ，Ａ，Ｗ１２ｎ，Ｂ，・・・，Ｗ１２ｎ＋１１，  Ａ，Ｗ１２ｎ＋１１，  Ｂ）（上位８ビットがＡ、下位８ビットがＢで示されている）が２シンボル遅延／スクランブル回路１１に供給される。２シンボル遅延は、偶数ワードのデータＬ６ｎ，  Ｒ６ｎ，  Ｌ６ｎ＋２，  Ｒ６ｎ＋２，  ・・・に対して実行され、Ｃ２符号器１２で該当する系列が全てエラーとなった場合でも、補間ができるようにされている。スクランブルは、最大のバーストエラー補間長が得られるように施されている。
【００５９】
２シンボル遅延／スクランブル回路１１からの出力がＣ２符号器１２に供給される。Ｃ２符号器１２は、ＧＦ（２８  ）上の（２８，２４，５）リード・ソロモン符号の符号化を行い、４シンボルのＱパリティＱ１２ｎ，Ｑ１２ｎ＋１，Ｑ１２ｎ＋２，Ｑ１２ｎ＋３  が発生する。
【００６０】
Ｃ２符号器１２の出力の２８シンボルがインターリーブ回路１３に供給される。インターリーブ回路１３は、単位遅延量をＤとすると、０、Ｄ、２Ｄ、・・・と等差的に変化する遅延量を各シンボルに与えることによって、シンボルの第１の配列を第２の配列へ変更するものである。
【００６１】
インターリーブ回路１３の出力がＣ１符号器１４に供給される。ＧＦ（２８  ）上の（３２，２８，５）リード・ソロモン符号がＣ１符号として使用される。Ｃ１符号器１４から４シンボルのＰパリティＰ１２ｎ，Ｐ１２ｎ＋１，Ｐ１２ｎ＋２，Ｐ１２ｎ＋３  が発生する。Ｃ１符号、Ｃ２符号の最小距離は、共に５である。したがって、２シンボルエラーの訂正、４シンボルエラーの消失訂正（エラーシンボルの位置が分かっている場合）が可能である。
【００６２】
Ｃ１符号器１４からの３２シンボルが１シンボル遅延回路１５に供給される。１シンボル遅延回路１５は、隣接するシンボルを離すことにより、シンボルとシンボルの境界にまたがるエラーにより２シンボルエラーが生じることを防止するためである。また、Ｑパリティがインバータによって反転されているが、これは、データおよびパリティが全て零になったときでも、エラーを検出できるようにするためである。
【００６３】
ＣＩＲＣ４方式の場合とＣＩＲＣ７方式の場合とでは、インターリーブ回路１３の単位遅延量Ｄが異なっている。このインターリーブ回路１３によって、バーストエラーが分散される。
【００６４】
すなわち、ＣＩＲＣ４方式の場合には、Ｄ＝４フレームとされ、隣接するシンボルが４フレームずつ離されている。このように、Ｄ＝４フレームとされたＣＩＲＣ４方式は、現行のＣＤ−ＤＡで採用されている。ＣＩＲＣ４方式の場合には、最大遅延量が２７Ｄ（＝１０８フレーム）となり、総インターリーブ長が１０９フレームとなる。
【００６５】
ＣＩＲＣ７方式の場合には、Ｄ＝７フレームとされ、隣接するシンボルが７フレームずつ離されている。このように、Ｄ＝７フレームとされたＣＩＲＣ７方式は、倍密度方式のＣＤでの採用が検討されている。ＣＩＲＣ７方式の場合には、最大遅延量が２７Ｄ（＝１８９フレーム）となり、総インターリーブ長が１９０フレームとなる。
【００６６】
図９及び図１０は、復号化の流れに沿って表されたブロック図である。復号化の処理は、上述した符号化の処理と逆の順序でなされる。
【００６７】
まず、ＥＦＭ復調回路からの再生データが１シンボル遅延回路２１に供給される。符号化側の１シンボル遅延回路１５で与えられた遅延がこの回路２１においてキャンセルされる。
【００６８】
１シンボル遅延回路２１からの３２シンボルがＣ１復号器２２に供給される。Ｃ１復号器２２の出力がデインターリーブ回路２３に供給される。デインターリーブ回路２３は、インターリーブ回路１３により与えられた遅延量をキャンセルするように、２８シンボルに対して２７Ｄ、２６Ｄ、・・・、Ｄ、０の等差的に変化する遅延量を与える。
【００６９】
デインターリーブ回路２３の単位遅延量は、ＣＩＲＣ４方式の場合には、Ｄ＝４フレームとされ、ＣＩＲＣ７方式の場合には、Ｄ＝７フレームとされる。
【００７０】
デインターリーブ回路２３の出力がＣ２復号器２４に供給され、Ｃ２符号の復号がなされる。Ｃ２復号器２４の２４シンボルの出力が２シンボル遅延／ディスクランブル回路２５に供給される。この回路２５から２４シンボルの復号データが得られる。
【００７１】
Ｃ１復号器２２およびＣ２復号器２４からのエラーフラグから補間フラグ生成回路２６にて補間フラグが生成される。この補間フラグによりエラーであることが示されるデータが補間される。
【００７２】
このように、ＣＩＲＣでは、垂直方向にＣ１系列でエラー訂正符号化が行われると共に、斜め方向にＣ２系列でエラー訂正符号化が行われ、２重にエラー訂正符号化が行われている。ＣＩＲＣ４方式とＣＩＲＣ７方式とでは、インターリーブ長が異なっている。
【００７３】
ＣＩＲＣ４方式の場合には、図１１に示すように、単位遅延量Ｄが（Ｄ＝４）であり、総インターリーブ長が１０９（＝１０８＋１）フレームであり、１ブロックのデータ長より僅かに長くなる。ＣＩＲＣ７方式の場合には、図１１に示すように、単位遅延量Ｄが（Ｄ＝７）であり、総インターリーブ長が１９０（＝１８９＋１）フレームであり、２ブロックのデータ長より僅かに短くなる。
【００７４】
総インターリーブ長は、ディスク上に付着した指紋、ディスクの傷等によって多数のデータが連続的に誤る、バーストエラーに対する訂正能力を規定するものとなり、それが長いほどバーストエラー訂正の能力が高い。倍密度ＣＤでは、バーストエラーに対する訂正能力を上げることが要望されている。このため、倍密度ＣＤでは、ＣＩＲＣ７方式のエラー訂正符号を採用して、バーストエラーに対する訂正能力を向上させることが考えられている。
【００７５】
上述のように、この発明が適用された光ディスク１では、領域ＡＲ２には、ＣＩＲＣ７方式でデータがエラー訂正符号化されて記録されていると共にＣＩＲＣ７方式でもＣＩＲＣ４方式でも復号可能なデータのパターンが含められる。このＣＩＲＣ７方式でもＣＩＲＣ４方式でも復号可能なデータについて説明する。
【００７６】
上述のように、ＣＩＲＣ４方式とＣＩＲＣ７方式とでは、インターリーブ長が異なっているので、ＣＩＲＣ７方式でエラー訂正符号化されたデータを、ＣＩＲＣ４方式の復号器で復号することはできない。また、その反対に、ＣＩＲＣ４方式でエラー訂正符号化されたデータを、ＣＩＲＣ７方式の復号器で復号することはできない。
【００７７】
ところが、ある特定の配列のデータの場合には、ＣＩＲＣ４方式の復号器でも、ＣＩＲＣ７方式の復号器でも、復号することができる。
【００７８】
図１３は、ＣＩＲＣ４方式のデコーダでもＣＩＲＣ７方式のデコーダでも復号できるデータ配列を説明したものである。図１３に示すデータ配列では、データを二次元配列したときに、垂直方向を単位として、すなわちＣ１系列を単位として、所定のデータが繰り返すようなデータが配列されている。この例では、垂直方向のデータには、ａ１、ａ２、ａ３，ａ４を１つの単位として、データが繰り返されている。
【００７９】
このようなデータ配列では、水平方向には、全て同じデータが並ぶことになる。すなわち、図１３に示すように、水平方向の１行目のデータは全てａ１であり、２行目のデータは全てａ２であり、３行目のデータは全てａ３であり、４行目のデータは全てａ４であり、水平方向には、全て同じデータが並ぶ。
【００８０】
このようなデータ配列とした場合には、Ｃ１系列については勿論であるが、Ｃ２系列についても、ＣＩＲＣ４方式とＣＩＲＣ７方式とでは、同様になる。すなわち、図１２の例では、総インターリーブ長（すなわち、斜め方向の角度）にかかわらず、Ｃ２系列のパリティは、常に、ａ１、ａ２、ａ３，ａ４により形成される。
【００８１】
したがって、このような配列のデータとなっている場合には、ＣＩＲＣ７方式でエラー訂正符号化されたデータをＣＩＲＣ４方式の復号器で復号することもできるし、ＣＩＲＣ４方式でエラー訂正符号化されたデータをＣＩＲＣ７方式の復号器で復号することもできる。
【００８２】
このように、ＣＩＲＣ４方式とＣＩＲＣ７方式とでは、インターリーブ長が異なるので、通常のデータでは、ＣＩＲＣ７方式でエラー訂正符号化されたデータをＣＩＲＣ４方式の復号器で復号したり、ＣＩＲＣ４方式でエラー訂正符号化されたデータをＣＩＲＣ７方式の復号器で復号することはできないが、上述のように、垂直方向で所定のデータを繰り返すような配列とすると、ＣＩＲＣ７方式の復号器でもＣＩＲＣ４方式の復号器でも復号できるようになる。
【００８３】
図１４は、上述のような光ディスク１を作成するための記録装置の構成を示すものである。
【００８４】
図１４において、入力端子５１に、プログラム領域ＰＡ１に記録するディジタルオーディオデータが供給される。
【００８５】
入力端子５２に、プログラム領域ＰＡ２に記録するコンテンツデータが供給される。コンテンツデータは、例えばＡＴＲＡＣ３で圧縮されたディジタルオーディオデータである。
【００８６】
入力端子５２からのコンテンツデータが暗号化回路５５に供給される。暗号化回路５５には、コンテンツ鍵発生回路５６から、コンテンツ鍵ＫＣが供給される。暗号化回路５５で、コンテンツ鍵発生回路５６からのコンテンツ鍵ＫＣにより、コンテンツデータが暗号化される。この暗号化されたコンテンツデータは、ＣＩＲＣ４方式のエラー訂正符号化処理を行うエラー訂正符号化回路５４に供給される。
【００８７】
コンテンツ鍵発生回路５６からのコンテンツデータＫＣは、暗号化回路５５に供給されると共に、キーロッカ生成回路５７に供給される。また、ＤＲＭ発生回路５８で、コンテンツに関する著作権管理情報ＤＲＭが生成される。著作権管理情報は、例えば、コンテンツの再生許可か禁止か、コンテンツの複製許可か禁止か、コンテンツの複製が許可なら一世代のみ複製許可か複数世代に渡る複製許可かを示している。
【００８８】
キーロッカ生成回路５７で、コンテンツ鍵ＫＣと著作権管理情報ＤＲＭとがコード化され、キーロッカのデータが形成される。
【００８９】
このキーロッカ生成回路５７の出力がキーロッカ暗号化回路５９に供給される。キーロッカ暗号化回路５９には、ハッシュ演算回路６０から、キーロッカ鍵ＫＬが供給される。キーロッカ生成回路５７で生成されたキーロッカのデータは、ハッシュ演算回路６０からのキーロッカ鍵ＫＬにより、キーロッカ暗号化回路５９で暗号化される。
【００９０】
ハッシュ演算回路６０は、デバイス鍵ＫＤと隠し鍵ＫＨとから、キーロッカ鍵ＫＬを生成している。
【００９１】
すなわち、ハッシュ演算回路６０には、入力端子６１からデバイス鍵ＫＤが供給されると共に、隠し鍵発生回路６２から隠し鍵ＫＨが供給される。デバイス鍵ＫＤは、固有の情報としてデバイスのどこかに保存されている。隠し鍵ＫＨは、隠し鍵発生回路６２により、乱数を用いて発生される。
【００９２】
ハッシュ演算回路６０で、入力端子６１からのデバイス鍵ＫＤと、隠し鍵発生回路６２からの隠し鍵ＫＨとから、ハッシュ演算により、キーロッカ鍵ＫＬが生成される。このキーロッカ鍵ＫＬがキーロッカ暗号化回路５９に供給される。
【００９３】
キーロッカ暗号化回路５９で、キーロッカ生成回路５７により生成されたキーロッカデータは、ハッシュ演算回路６０からのキーロッカ鍵ＫＬにより暗号化される。この暗号化されたキーロッカのデータが、ＣＩＲＣ４方式のエラー訂正符号化回路５４に供給される。
【００９４】
また、ソフトウェアプレーヤ発生回路６３からは、ソフトウェアで暗号の復号を行うためのプログラムデータであるソフトウェアプレーヤＳＦＴ１のデータが発生される。このソフトウェアプレーヤＳＦＴ１のデータがＣＩＲＣ４方式のエラー訂正符号化回路５４に供給される。
【００９５】
ＣＩＲＣ４のエラー訂正符号化回路５４は、Ｃ１系列（垂直方向）とＣ２系列（斜め方向）とに２重にエラー訂正符号化処理を行うものである。ＣＩＲＣ４方式の場合には、遅延の単位Ｄは（Ｄ＝４フレーム）とされ、最大遅延量が２７Ｄ（＝１０８フレーム）となる。
【００９６】
一方、隠し鍵発生回路６２からの隠し鍵ＫＨが、ＣＩＲＣ４／ＣＩＲＣ７パターン変換回路６５に供給される。ＣＩＲＣ４／ＣＩＲＣ７パターン変換回路６５は、隠し鍵発生回路６２からの隠し鍵ＫＨの情報を、ＣＩＲＣ４方式でもＣＩＲＣ７方式でも復号可能なデータに変換するものである。ＣＩＲＣ４方式でもＣＩＲＣ７方式でも復号可能なデータは、前述したように、データを２次元配列したときに垂直方向（Ｃ１系列）を単位として所定のデータが繰り返すようなデータである。ＣＩＲＣ４／ＣＩＲＣ７パターン変換回路６５の出力がミックス回路６６に供給される。
【００９７】
また、ミックス回路６６には、入力端子７０から、領域ＡＲ２に記録すべき他のデータが供給される。この領域ＡＲ２に記録するデータは、どのようなデータであっても良い、例えば、ＣＩＲＣ７方式のデコーダを備えた機器でのみ再生できるようなデータを領域ＡＲ２に記録するデータとしても良い。
【００９８】
ミックス回路６６は、入力端子７０からのデータと、ＣＩＲＣ４／ＣＩＲＣ７パターン変換回路６５からの隠し鍵ＫＨの情報とを、所定の位置でミックスするものである。この入力端子６９からのデータと、ＣＩＲＣ４／ＣＩＲＣ７パターン変換回路６５からの隠し鍵ＫＨの情報とをミックスする位置は、ミックス位置指定回路６９により、ソフトウェアプレーヤＳＦＴ１に記述されている位置に応じて設定される。
【００９９】
ミックス回路６６の出力が、ＣＩＲＣ７方式のエラー訂正符号化回路６７に供給される。ＣＩＲＣ７のエラー訂正符号化回路６７は、Ｃ１系列（垂直方向）とＣ２系列（斜め方向）とに２重にエラー訂正符号化処理を行うものである。ＣＩＲＣ７方式の場合には、遅延の単位Ｄは（Ｄ＝７フレーム）とされ、最大遅延量が２７Ｄ（＝１８９フレーム）となる。
【０１００】
ＣＩＲＣ４方式のエラー訂正符号化回路５４及びＣＩＲＣ７方式のエラー訂正符号化回路６７の出力がサブコード付加回路７１に供給される。サブコード付加回路７１の出力が変調回路７２に供給される。変調回路７２で、記録データに対してＥＦＭ変調が施される。
【０１０１】
光ディスク１は、ターンテーブルに載せられてスピンドルモータ７３によって回転される。スピンドルモータ７３は、サーボ制御回路７４の制御の基で、スピンドル制御回路７５により、一定線速度（ＣＬＶ）あるいは一定角速度（ＣＡＶ）で回転駆動をされる。
【０１０２】
サーボ制御回路７４は、フォーカスエラー信号とトラッキングエラー信号、および、システムコントローラ８０からの動作指令に基づき、フォーカス、トラッキング、スレッド、スピンドルの各種サーボドライブ信号を生成し、二軸制御回路７６、スレッド制御回路７７、スピンドル制御回路７５へと出力する。
【０１０３】
光学ピックアップ７８は、光ディスク１の信号面に半導体レーザの光ビームを集光しつつ、光ディスク１上に同心円状あるいはスパイラル状に形成されたトラックをトレースさせるための機構である。光学ピックアップ７８からのレーザビームは、二軸機構によって、フォーカス方向及びトラッキング方向に移動を可能とされている。二軸機構は、サーボ制御回路７４の制御の基で、二軸制御回路７６により制御される。光学ピックアップ７８全体は、スレッド機構７９により、ディスクの半径方向に移動可能とされている。スレッド機構７９の移動は、サーボ制御回路７４の制御の基で、スレッド制御回路７７により制御される。
【０１０４】
変調回路７２の出力が光学ピックアップ７８に供給される。光学ピックアップ７８からは、変調回路７２の出力に応じて発光用波形が変調されたレーザー光が出力される。このレーザー光が光ディスク１の記録面に照射され、光ディスク１上に情報が記録される。
【０１０５】
光ディスク１のプログラム領域ＰＡ１に、ディジタルオーディオデータを記録する場合には、入力端子５１からのディジタルオーディオデータがＣＩＲＣ４方式のエラー訂正符号化回路５４に供給される。エラー訂正符号化回路５４で、ディジタルオーディオデータに対して、ＣＩＲＣ４方式でエラー訂正符号化がなされる。エラー訂正符号化回路５４の出力がサブコード付加回路７１、変調回路７２を介して、光学ピックアップ７８に供給され、光ディスク１に記録される。
【０１０６】
光ディスク１のプログラム領域ＰＡ２に、暗号化されたコンテンツデータを記録する場合には、入力端子５２からのコンテンツデータが暗号化回路５５で暗号化される。暗号化回路５５で暗号化されたコンテンツデータは、ＣＩＲＣ４方式のエラー訂正符号化回路５４に供給される。エラー訂正符号化回路５４で、コンテンツデータに対して、ＣＩＲＣ４方式でエラー訂正符号化がなされる。エラー訂正符号化回路５４の出力がサブコード付加回路７１、変調回路７２を介して、光学ピックアップ７８に供給され、光ディスク１に記録される。
【０１０７】
また、コンテンツデータを暗号化するためのコンテンツ鍵ＫＣは、コンテンツ鍵発生回路５６で生成される。このコンテンツ鍵ＫＣは、キーロッカ生成回路５７で、ＤＲＭ発生回路５８からの著作権管理情報ＤＲＭと共にコード化されてキーロッカデータが生成され、このキーロッカデータは、キーロッカ暗号化回路５９で、キーロッカ鍵ＫＬにより暗号化される。この暗号化されたキーロッカデータは、ＣＩＲＣ４方式のエラー訂正符号化回路５４に供給される。エラー訂正符号化回路５４の出力がサブコード付加回路７１、変調回路７２を介して、光学ピックアップ７８に供給され、光ディスク１に記録される。
【０１０８】
また、光ディスク１のプログラム領域ＰＡ２に、ソフトウェアプレーヤＳＦＴ１のデータを記録する場合には、ソフトウェアプレーヤ発生回路６３からのソフトウェアプレーヤＳＦＴ１のデータが出力され、このソフトウェアプレーヤＳＦＴ１のデータがＣＩＲＣ４方式のエラー訂正符号化回路５４に供給される。エラー訂正符号化回路５４の出力がサブコード付加回路７１、変調回路７２を介して、光学ピックアップ７８に供給され、光ディスク１に記録される。
【０１０９】
光ディスク１のプログラム領域ＰＡ２の領域ＡＲ２にデータを記録する場合には、入力端子７０からのデータがミックス回路６６を介して、ＣＩＲＣ７方式のエラー訂正符号化回路６７に供給される。また、ＣＩＲＣ４／ＣＩＲＣ７パターン変換回路６５で、ＣＩＲＣ４方式でもＣＩＲＣ７方式でも復号可能なデータとされた隠し鍵ＫＨの情報がミックス回路６６に供給される。
【０１１０】
領域ＡＲ２のどの位置に隠し鍵ＫＨの情報を記録するかは、ソフトウェアプレーヤ発生回路６３からのソフトウェアプレーヤＳＦＴ１中に記述されている。ミックス位置指定回路６９により、ソフトウェアプレーヤＳＦＴ１に記述された位置に応じて、入力端子６８からのデータと、隠し鍵ＫＨの情報とがミックスされる。
【０１１１】
ミックス回路６６の出力がＣＩＲＣ７方式のエラー訂正符号化回路６７に供給される。エラー訂正符号化回路６７で、ディジタルオーディオデータに対して、ＣＩＲＣ７方式でエラー訂正符号化がなされる。
【０１１２】
エラー訂正符号化回路６７の出力が、サブコード付加回路７１、変調回路７２を介して、光学ピックアップ７８に供給され、光ディスク１に記録される。
【０１１３】
図１５は、光ディスク１のデータを再生する再生装置の構成を示すものである。なお、この再生装置は、通常のプレーヤやドライブで、ソフトウェアによりコンテンツの暗号の復号化処理を行っている。したがって、各種の鍵の再生回路や、キーロッカの再生回路、コンテンツの復号回路は、ソフトウェアにより実現されているが、ここでは、その機能に応じたブロック図で説明している。勿論、ハードウェアで実現しても良い。
【０１１４】
図１５において、光ディスク１は、ターンテーブルに載せられてスピンドルモータ８１によって回転される。スピンドルモータ８１は、サーボ制御回路８３の制御の基で、スピンドル制御回路８２により、一定線速度（ＣＬＶ）あるいは一定角速度（ＣＡＶ）で回転駆動をされる。
【０１１５】
サーボ制御回路８３は、フォーカスエラー信号とトラッキングエラー信号、および、システムコントローラ８０からの動作指令に基づき、フォーカス、トラッキング、スレッド、スピンドルの各種サーボドライブ信号を生成し、二軸制御回路８４、スレッド制御回路８５、スピンドル制御回路８２へと出力している。光学ピックアップ８７は、光ディスク１の信号面に半導体レーザの光ビームを集光しつつ、光ディスク１上に同心円状あるいはスパイラル状に形成されたトラックをトレースさせるための機構である。光学ピックアップ８７全体は、スレッド機構８８により移動される。
【０１１６】
光学ピックアップ８７の出力は、ＲＦアンプ８９を介して、復調回路９０に供給される。復調回路９０は、ＥＦＭの復調を行うものである。復調回路９０の出力がサブコード抽出回路９１に供給される。サブコード抽出回路９１で、サブコードデータが抽出される。サブコード抽出回路９１の出力がＣＩＲＣ４方式のエラー訂正処理を行うエラー訂正回路９２に供給される。
【０１１７】
光ディスク１のプログラム領域ＰＡ１のＣＤ−ＤＡデータを再生する場合には、光学ピックアップ８７がプログラム領域ＰＡ１にアクセスされ、プログラム領域ＰＡ１のデータが読み取られる。このデータがＲＦアンプ８９、復調回路９０、サブコード抽出回路９１を介して、エラー訂正回路９２に供給される。エラー訂正回路９２でＣＩＲＣ４のエラー訂正処理が行われ、エラー訂正回路９２からは、オーディオデータが出力される。このオーディオデータが切り換え回路９３を介して、出力端子９４から出力される。
【０１１８】
光ディスク１のプログラム領域ＰＡ２のコンテンツデータは、暗号化されている。このため、プログラム領域ＰＡ２のコンテンツデータを再生する場合には、暗号復号を行う必要がある。
【０１１９】
プログラム領域ＰＡ２のコンテンツデータを再生する場合には、光学ピックアップ８７がプログラム領域ＰＡ２のソフトウェアプレーヤＳＦＴ１にアクセスされる。これにより、ソフトウェアプレーヤＳＦＴ１のデータがＲＦアンプ８９、復調回路９０、サブコード抽出回路９１を介して、エラー訂正回路９２に供給される。エラー訂正回路９２でＣＩＲＣ４のエラー訂正処理が行われ、エラー訂正回路９２からは、ソフトウェアプレーヤＳＦＴ１のデータが出力される。このソフトウェアプレーヤのデータは、切り換え回路９３を介して、ソフトウェアプレーヤ起動部９５に送られる。ソフトウェアプレーヤ起動部９５で、ソフトウェアプレーヤＳＦＴ１のデータ中から、領域ＡＲ２のどの位置に、ＣＩＲＣ４方式でもＣＩＲＣ７方式でも復号可能なデータが記述されているかが判断される。
【０１２０】
ソフトウェアプレーヤＳＦＴ１のデータから、領域ＡＲ２中のどの位置にＣＩＲＣ４方式でもＣＩＲＣ７方式でも復号可能なデータが記述されているかが分かったら、光学ピックアップ８７がその位置にアクセスされる。そして、この領域ＡＲ２中のＣＩＲＣ４方式でもＣＩＲＣ７方式でも復号可能なデータがＲＦアンプ８９、復調回路９０、サブコード抽出回路９１を介して、エラー訂正回路９２に供給される。エラー訂正回路９２の出力が隠し鍵再生回路９６に供給される。隠し鍵再生回路９６で、隠し鍵ＫＨが再生される。
【０１２１】
隠し鍵再生回路９６で再生された隠し鍵ＫＨがハッシュ演算回路９７に供給される。また、ハッシュ演算回路９７には、入力端子１０２からのデバイス鍵ＫＤが供給される。ハッシュ演算回路９７で、隠し鍵ＫＨとデバイス鍵ＫＤとから、キーロッカ鍵ＫＬが求められる。このキーロッカ鍵ＫＬが暗号復号化回路９９に供給される。
【０１２２】
このようにして、キーロッカ鍵ＫＬが求められたら、光学ピックアップ８７がプログラム領域ＰＡ２のキーロッカＫ＿ＬＯＣＫの位置に移動され、キーロッカＫ＿ＬＯＣＫが再生される。キーロッカＫ＿ＬＯＣＫの再生データは、ＲＦアンプ８９、復調回路９０、サブコード抽出回路９１、エラー訂正回路９２、切り換え回路９３を介して、キーロッカ再生回路９８に供給される。キーロッカ再生回路９８の出力が暗号復号化回路９９に供給される。
【０１２３】
暗号復号化回路９９で、ハッシュ演算回路９７からのキーロッカ鍵ＫＬにより、キーロッカのデータが復号される。暗号復号化回路９９の出力がコンテンツ鍵再生回路１００に供給されると共に、著作権管理情報再生回路１０１に供給される。コンテンツ鍵再生回路１００で、キーロッカＫ＿ＬＯＣＫのデータの中からコンテンツ鍵ＫＣが再生される。このコンテンツ鍵ＫＣが暗号復号化回路１０２に供給される。また、著作権管理情報再生回路１０１により、キーロッカデータの中から、著作権管理情報ＤＲＭが取り出される。この著作権管理情報ＤＲＭがシステムコントローラ８０に送られる。
【０１２４】
このようにして、キーロッカＫ＿ＬＯＣＫが再生され、キーロッカＫ＿ＬＯＣＫの中からコンテンツ鍵ＫＣが取り出されたら、光学ピックアップ８７がプログラム領域ＰＡ２のコンテンツデータの位置に移動され、暗号化されたコンテンツデータが再生される。暗号化コンテンツデータは、ＲＦアンプ８９、復調回路９０、サブコード抽出回路９１、エラー訂正回路９２、切り換え回路９３を介して、暗号復号化回路１０２に供給される。暗号復号化回路１０２で、コンテンツ鍵再生回路１００からのコンテンツ鍵ＫＣにより、暗号化コンテンツデータに対する復号処理がなされ、コンテンツデータが復号される。この復号されたコンテンツデータが出力端子１０３から出力される。
【０１２５】
このように、この発明が適用された光ディスク１には、ＣＩＲＣ７方式でもＣＩＲＣ４方式でも復号可能な形態で、隠し鍵ＫＨをＣＩＲＣ７方式でエラー訂正符号化がされている領域ＡＲ２に記録し、その位置を、ソフトウェアプレーヤＳＦＴ１のデータで指定するようにしている。
【０１２６】
また、上述の例では、ＣＩＲＣ７方式でデータがエラー訂正符号化された領域ＡＲ２に、ＣＩＲＣ７方式でもＣＩＲＣ４方式でも復号可能な形態で、隠し鍵ＫＨを記録するようにしているが、ＣＩＲＣ７方式でもＣＩＲＣ４方式でも復号可能な形態で記録するのは、隠し鍵ＫＨに限定されるものではない。コンテンツ鍵ＫＣを記録したり、キーロッカ鍵ＫＬを記録したりしても良い。
【０１２７】
更に、このような鍵情報ばかりでなく、著作権管理情報、ディスクやコンテンツについての付加サービス情報等、種々の情報を、領域ＡＲ２に、ＣＩＲＣ７方式でもＣＩＲＣ４方式でも復号可能な形態で記録することが考えられる。
【０１２８】
すなわち、領域ＡＲ２に、ＣＩＲＣ７方式でもＣＩＲＣ４方式でも復号可能な形態で種々の情報記録しておき、ソフトウェアプレーヤＳＦＴ１をこれらの各情報の記録位置を示す情報とすれば良い。
【０１２９】
また、ここでは、ＣＩＲＣ７方式でもＣＩＲＣ４方式でも復号可能な形態で記録された情報の記録位置をソフトウェアプレーヤＳＦＴ１で指し示すようにしているが、この記録位置の指定をするのは、ソフトウェアプレーヤＳＦＴ１に限定されるものではない。
【０１３０】
また、上述の例では、ディスクとして、図１及び図２に示したように、内周の領域と外周の領域とが分かれており、一方にＣＤ−ＤＡのデータを記録し、他方に圧縮されたオーディオデータを暗号化して記録する２セッションのＣＤ２のディスクとしたが、図１６に示すように、１セッションの光ディスクとしても良いことは勿論である。
【０１３１】
図１６の例では、光ディスクの最内周には、第１のリードイン領域Ｉが設けられ、その外周に、プログラム領域ＰＡが設けられ、プログラム領域ＰＡの外側に、リードアウト領域ＬＯが設けられる。プログラム領域ＰＡは領域ＡＲ１と領域ＡＲ２とに分けられており、領域ＡＲ１には、データがＣＩＲＣ４方式のエラー訂正符号によりエラー訂正符号化されて記録される。領域ＡＲ２には、キーロッカＫ＿ＬＯＣＫ２とソフトウェアプレーヤＳＦＴ１とが記録されると共に、データがＣＩＲＣ７方式によりエラー訂正符号化されて記録されており、その中には、ＣＩＲＣ４方式でもＣＩＲＣ７方式でも復号可能なデータで、隠し鍵ＫＨが含められる。
【０１３２】
また、上述の例では、ＣＩＲＣ４方式とＣＩＲＣ７方式とで復号可能なデータとして説明してきたが、垂直方向（Ｃ１系列）を単位として所定のデータが繰り返すような配置としたものは、どのようなインターリーブ長でも、復号化である。
【０１３３】
更に、複数のエラー訂正方式で復号可能なデータは、ＣＩＲＣのみならず、２系列にエラー訂正符号化するような他の符号化方式にも拡張して考えることができる。例えば、水平方向と垂直方向とに符号化を行う積符号の場合にも、ＣＩＲＣの場合と同様に、複数のエラー訂正符号で復号可能なデータが考えられる。
【０１３４】
ところで、  上述の光ディスク１において、領域ＡＲ２の部分は、ＣＩＲＣ７でエラー訂正符号化してデータに、ＣＩＲＣ４方式でもＣＩＲＣ７方式でも復号可能なデータが含められたものであり、この部分が誤って音として再生されてしまうと、不快な音となることが考えられる。そこで、この部分には、ＰＣＭ信号の上位ビットを全て０にして、小さい音となるようにしておくことが考えられる。勿論、１が小さい音になる場合には、上位ビットを全て１にしておく。
【０１３５】
また、この部分で発生される音が直流や高周波であると、ユーザは気づきにくいため、ボリュームを上げてしまう危険性がある。そこで、０のデータと１のデータとを特定のパターンで埋め込み、可聴帯域の音を発生させることが考えられる。一例として、０と１とを７．３５ｋＨｚで繰り返すようにすることが考えられる。
【０１３６】
また、ＣＩＲＣの復号回路の中には、Ｃ１系列のエラーが発生しないと、Ｃ２系列のエラー訂正処理に移らないものがある。このような復号回路を有するドライブやプレーヤでの処理に備えて、領域ＡＲ２の部分に記録されるデータ中のＣＩＲＣ４方式でもＣＩＲＣ７方式でも復号可能なデータに、Ｃ１系列のエラーを含めておくことが考えられる。
【０１３７】
【発明の効果】
この発明によれば、データ記録媒体として用いられる光ディスクには、少なくとも２以上の複数のエラー訂正符号によりエラー訂正符号化されたデータが記録される。例えば、データがＣＩＲＣ４方式でエラー訂正符号化されて記録される中に、ＣＩＲＣ７方式でエラー訂正符号化される領域が設けられる。その中に、ＣＩＲＣ４方式でも、ＣＩＲＣ７方式でも復号可能な形態のデータが記録される。
【０１３８】
このような光ディスクをＣＩＲＣ４方式の復号回路で復号してディスクコピーすると、ＣＩＲＣ７方式でエラー訂正符号化される領域で訂正不能なエラーが発生するため、コピー不可能になる。或いは、コピーできたとしても、データが書き換わってしまう。ＣＩＲＣ４方式でもＣＩＲＣ７方式でも復号可能な形態のデータ中に、例えば、鍵情報の一部を記録しておけば、鍵情報の安全性が向上する。
【図面の簡単な説明】
【図１】この発明が適用された光ディスクの説明に用いる平面図である。
【図２】この発明が適用された光ディスクの説明に用いる略線図である。
【図３】この発明が適用された光ディスクの説明に用いるブロック図である。
【図４】この発明が適用された光ディスクの説明に用いる略線図である。
【図５】この発明が適用された光ディスクの記録フォーマットの説明に用いる略線図である。
【図６】この発明が適用された光ディスクの記録フォーマットの説明に用いる略線図である。
【図７】この発明が適用された光ディスクの記録フォーマットの説明に用いる略線図である。
【図８】この発明が適用された光ディスクの記録フォーマットの説明に用いる略線図である。
【図９】この発明が適用された光ディスクの記録フォーマットの説明に用いる略線図である。
【図１０】この発明が適用された光ディスクの記録フォーマットの説明に用いる略線図である。
【図１１】ＣＩＲＣ４方式の場合のインターリーブの説明に用いる略線図である。
【図１２】ＣＩＲＣ７方式の場合のインターリーブの説明に用いる略線図である。
【図１３】ＣＩＲＣ４方式でもＣＩＲＣ７方式でも復号可能なデータの説明に用いる略線図である。
【図１４】この発明が適用された光ディスクの記録装置の一例のブロック図である。
【図１５】この発明が適用された光ディスクの再生装置の一例のブロック図である。
【図１６】この発明が適用された光ディスクの他の一例の略線図である。
【符号の説明】
１・・・光ディスク、５４・・・ＣＩＲＣ４方式のエラー訂正符号化回路、５５・・・暗号化回路、６５・・・パターン変換回路、６７・・・ＣＩＲＣ７方式エラー訂正符号化回路、６９・・・ミックス位置指定回路
【図１】
0003575461.tif 000002
【図２】
0003575461.tif 000003
【図３】
0003575461.tif 000004
【図４】
0003575461.tif 000005
【図５】
0003575461.tif 000006
【図６】
0003575461.tif 000007
【図７】
0003575461.tif 000008
【図８】
0003575461.tif 000009
【図９】
0003575461.tif 000010
【図１０】
0003575461.tif 000011
【図１１】
0003575461.tif 000012
【図１２】
0003575461.tif 000013
【図１３】
0003575461.tif 000014
【図１４】
0003575461.tif 000015
【図１５】
0003575461.tif 000016
【図１６】
0003575461.tif 000017